(57)【要約】      （修正有）【課題】組立作業を迅速に行うことができ、外観体裁を良好とした包装用箱を提供する。【解決手段】底板２１と、底板２１の後に後板折目線４２を介して連設される後板２３と、後板２３の左右に連設される左右側板２５と、底板２１の左右に連設される折畳片２４ａと、後板折目線の端部近傍から斜め方向に形成される第１折目線４７を介して前記折畳片２４ａに連設される固着片２４ｂと、を有する補助側板２４と、を備える。固着片２４ｂと折畳片２４ａとが重なるように第１折目線４７で折畳み、固着片２４ｂと左右側板２５とを重ね合わせるように、底板２１と後板２３とを後板折目線４２で折畳み、固着片２４ｂと左右側板２５とを固着して半完成状態とし、半完成状態から、固着片２４ｂと折畳片２４ａとを展開することで、補助側板２４、左右側板２５及び後板２３を底板２１に対して立設させ組み立てる。【選択図】図１
0003158123.tif 000002
【実用新案登録請求の範囲】
【請求項１】
物品を収容する包装用箱であって、
底板と、
前記底板の後に後板折目線を介して連設される後板と、
前記後板の左右に連設される左右側板と、
前記底板の左右に連設される折畳片と、前記後板折目線の端部近傍から斜め方向に形成される第１折目線を介して前記折畳片に連設される固着片と、を有する補助側板と、
を備え、
前記固着片と前記折畳片とが重なるように前記第１折目線で折畳み、
前記固着片と前記左右側板とを重ね合わせるように、前記底板と前記後板とを前記後板折目線で折畳み、前記固着片と前記左右側板とを固着して半完成状態とし、
前記半完成状態から、前記固着片と前記折畳片とを展開することで、前記補助側板、前記左右側板及び前記後板を前記底板に対して立設させて組み立て状態とすることを特徴とする包装用箱。
【請求項２】
物品を収容する包装用箱であって、
底板と、
前記底板の後に後板折目線を介して連設される後板と、
前記後板の左右に連設される左右側板と、
前記底板の左右に連設される折畳片と、前記後板折目線の端部近傍から斜め方向に形成される第１折目線を介して前記折畳片に連設される固着片と、を有する補助側板と、
を備え、
前記補助側板と前記左右側板とを重ね合わせるように、前記底板と前記後板とを前記後板折目線で折畳み、前記補助側板の前記固着片と前記左右側板とを固着して半完成状態とし、
前記半完成状態から、前記固着片と前記折畳片とが重なるように前記第１折目線で折畳むことで、前記補助側板、前記左右側板及び前記後板を前記底板に対して立設させて組み立て状態とすることを特徴とする包装用箱。
【請求項３】
物品を収容する包装用箱であって、
底板と、
前記底板の後に後板折目線を介して連設される後板と、
前記底板の左右に左右側板折目線を介して連設される左右側板と、
前記左右側板の後端に連設される折畳片と、前記左右側板折目線の後端部近傍から斜め方向に形成される第１折目線を介して前記折畳片に連設される固着片と、を有する補助側板と、
を備え、
前記固着片と前記折畳片とが重なるように前記第１折目線で折畳み、
前記固着片と前記後板とを重ね合わせ、かつ、前記底板と前記左右側板とを重ね合わせるように折畳み、前記固着片と前記後板とを固着して半完成状態とし、
前記半完成状態から、前記固着片と前記折畳片とを展開することで、前記補助側板、前記左右側板及び前記後板を前記底板に対して立設させて組み立て状態とすることを特徴とする包装用箱。
【請求項４】
物品を収容する包装用箱であって、
底板と、
前記底板の後に後板折目線を介して連設される後板と、
前記底板の左右に左右側板折目線を介して連設される左右側板と、
前記左右側板の後端に連設される折畳片と、前記左右側板折目線の後端部近傍から斜め方向に形成される第１折目線を介して前記折畳片に連設される固着片と、を有する補助側板と、
を備え、
前記補助側板と前記後板とを重ね合わせ、かつ、前記底板と前記左右側板とを重ね合わせるように折畳み、前記補助側板の前記固着片と前記後板とを固着して半完成状態とし、
前記半完成状態から、前記固着片と前記折畳片とが重なるように前記第１折目線で折畳むことで、前記補助側板、前記左右側板及び前記後板を前記底板に対して立設させて組み立て状態とすることを特徴とする包装用箱。
【請求項５】
前記底板に対して前記後板と前記補助側板と前記左右側板とを立設させた状態を保持する保持手段を設け、
前記保持手段は、
前記底板に対して前記後板と前記補助側板と前記左右側板とを立設させた状態で、
前記第１折目線よりも固着片側に突出する保持片を前記折畳片に設けた構成であることを特徴とする請求項１または請求項３に記載の包装用箱。
【請求項６】
前記底板に対して前記後板と前記補助側板と前記左右側板とを立設させた状態を保持する保持手段を設け、
前記保持手段は、
前記半完成状態で、
前記第１折目線よりも固着片側に突出する保持片を設けた構成であることを特徴とする請求項２または請求項４に記載の包装用箱。
【請求項７】
前記底板に対して前記後板と前記補助側板と前記左右側板とを立設させた状態を保持する保持手段を設け、
前記保持手段は、
前記折畳片の前端に延設される係止片と、
前記左右側板の前記左右側板折目線に対向する側の端部に第２折目線を介して連設されるフラップと、
前記第２折目線上の一部の切れ込みによって形成される係止孔と、からなり、
前記第２折目線を折り曲げて、前記左右側板と前記フラップとを屈曲させて、前記係止孔に前記係止片を係合させる構成であることを特徴とする請求項１または請求項２に記載の包装用箱。
【請求項８】
前記底板に対して前記後板と前記補助側板と前記左右側板とを立設させた状態を保持する保持手段を設け、
前記保持手段は、
前記底板に対して前記後板と前記補助側板と前記左右側板とを立設させた状態で、前記第１折目線よりも前記固着片側に突出する保持片を設けた構成と、
前記折畳片の前端に延設される係止片と、前記左右側板の前記左右側板折目線に対向する側の端部に第２折目線を介して連設されるフラップと、前記第２折目線上の一部の切れ込みによって形成される係止孔と、からなり、前記第２折目線を折り曲げて、前記左右側板と前記フラップとを屈曲させて、前記係止孔に前記係止片を係合させる構成と、からなることを特徴とする請求項１に記載の包装用箱。
【請求項９】
前記底板に対して前記後板と前記補助側板と前記左右側板とを立設させた状態を保持する保持手段を設け、
前記保持手段は、
前記半完成状態で、前記第１折目線よりも前記固着片側に突出する保持片を設けた構成と、
前記折畳片の前端に延設される係止片と、前記左右側板の前記左右側板折目線に対向する側の端部に第２折目線を介して連設されるフラップと、前記第２折目線上の一部の切れ込みによって形成される係止孔と、からなり、前記第２折目線を折り曲げて、前記左右側板と前記フラップとを屈曲させて、前記係止孔に前記係止片を係合させる構成と、からなることを特徴とする請求項２に記載の包装用箱。
【請求項１０】
前記底板の前に連設される前板と、
前記底板に対して前記前板と前記後板と前記補助側板と前記左右側板とを立設させた状態を保持するとともに、包装用箱の上部の開口部を閉塞させる手提部を設け、
前記手提部は、
前記前板と前記後板とにそれぞれ連設される天部と、
前記左右側板にそれぞれ連設される立上板と、を備え、
天部の一部が重なるように重ね合わせ、
前記天部の両端が前記立上板によって係止させる構成であることを特徴とする請求項１から請求項９のいずれか１項に記載の包装用箱。
【考案の詳細な説明】
【技術分野】
【０００１】
包装用箱の構造に関し、より詳細には、包装用箱の側板の構造に関する。
【背景技術】
【０００２】
従来、菓子等の物品を収納する包装用箱にあっては、一枚のブランク（台紙）からなる種々の形態の包装用箱が知られている。
例えば、特許文献１に示す包装用箱は、底板、左右側壁、前後側壁及び上蓋を有し、所定の折目に沿って順次折畳むことで、折畳み状態の紙箱（包装用箱）が形成されるように構成されている。紙箱を折畳む際には、左右側壁の傾斜状の折目に沿って、左右側壁を包装用箱の内方へと谷折するとともに、底壁と後壁の間の折目を谷折りして、底壁と後壁を対向するよう折畳むことで、紙箱は平坦な折畳み状態（半完成状態）まで折畳まれる。この折畳み状態で、包装用箱は積み重ねられて保管や運搬がなされる。さらに、包装用箱の組み立ての際は、底壁に対して後壁を立設させることで左右側壁が立設されるため、包装用箱を迅速に組み立てることが可能である。
しかしながら、上記特許文献１に記載の包装用箱では、外観（左右側壁面）に傾斜状の折目が現れる。このため包装用箱の外観体裁が良好でないという問題がある。
【先行技術文献】
【特許文献】
【０００３】
【特許文献１】実用新案登録第３０９５２５５号公報
【考案の概要】
【考案が解決しようとする課題】
【０００４】
本考案は前記課題に鑑みてなされたものであって、組立作業を迅速に行うことができ、また、折目線が側板面に現れないようにすることにより、外観体裁を良好とした包装用箱を提供することを課題とする。
【課題を解決するための手段】
【０００５】
本考案の解決しようとする課題は以上の如くであり、次にこの課題を解決するための手段を説明する。
【０００６】
即ち、第１の考案では、物品を収容する包装用箱であって、
底板と、
前記底板の後に後板折目線を介して連設される後板と、
前記後板の左右に連設される左右側板と、
前記底板の左右に連設される折畳片と、前記後板折目線の端部近傍から斜め方向に形成される第１折目線を介して前記折畳片に連設される固着片と、を有する補助側板と、
を備え、
前記固着片と前記折畳片とが重なるように前記第１折目線で折畳み、
前記固着片と前記左右側板とを重ね合わせるように、前記底板と前記後板とを前記後板折目線で折畳み、前記固着片と前記左右側板とを固着して半完成状態とし、
前記半完成状態から、前記固着片と前記折畳片とを展開することで、前記補助側板、前記左右側板及び前記後板を前記底板に対して立設させて組み立て状態とすることを特徴とするものである。
【０００７】
第２の考案では、物品を収容する包装用箱であって、
底板と、
前記底板の後に後板折目線を介して連設される後板と、
前記後板の左右に連設される左右側板と、
前記底板の左右に連設される折畳片と、前記後板折目線の端部近傍から斜め方向に形成される第１折目線を介して前記折畳片に連設される固着片と、を有する補助側板と、
を備え、
前記補助側板と前記左右側板とを重ね合わせるように、前記底板と前記後板とを前記後板折目線で折畳み、前記補助側板の前記固着片と前記左右側板とを固着して半完成状態とし、
前記半完成状態から、前記固着片と前記折畳片とが重なるように前記第１折目線で折畳むことで、前記補助側板、前記左右側板及び前記後板を前記底板に対して立設させて組み立て状態とするものである。
【０００８】
第３の考案では、物品を収容する包装用箱であって、
底板と、
前記底板の後に後板折目線を介して連設される後板と、
前記底板の左右に左右側板折目線を介して連設される左右側板と、
前記左右側板の後端に連設される折畳片と、前記左右側板折目線の後端部近傍から斜め方向に形成される第１折目線を介して前記折畳片に連設される固着片と、を有する補助側板と、
を備え、
前記固着片と前記折畳片とが重なるように前記第１折目線で折畳み、
前記固着片と前記後板とを重ね合わせ、かつ、前記底板と前記左右側板とを重ね合わせるように折畳み、前記固着片と前記後板とを固着して半完成状態とし、
前記半完成状態から、前記固着片と前記折畳片とを展開することで、前記補助側板、前記左右側板及び前記後板を前記底板に対して立設させて組み立て状態とするものである。
【０００９】
第４の考案では、物品を収容する包装用箱であって、
底板と、
前記底板の後に後板折目線を介して連設される後板と、
前記底板の左右に左右側板折目線を介して連設される左右側板と、
前記左右側板の後端に連設される折畳片と、前記左右側板折目線の後端部近傍から斜め方向に形成される第１折目線を介して前記折畳片に連設される固着片と、を有する補助側板と、
を備え、
前記補助側板と前記後板とを重ね合わせ、かつ、前記底板と前記左右側板とを重ね合わせるように折畳み、前記補助側板の前記固着片と前記後板とを固着して半完成状態とし、
前記半完成状態から、前記固着片と前記折畳片とが重なるように前記第１折目線で折畳むことで、前記補助側板、前記左右側板及び前記後板を前記底板に対して立設させて組み立て状態とするものである。
【００１０】
第５の考案では、第１または第３の考案において、
前記底板に対して前記後板と前記補助側板と前記左右側板とを立設させた状態を保持する保持手段を設け、
前記保持手段は、
前記底板に対して前記後板と前記補助側板と前記左右側板とを立設させた状態で、
前記第１折目線よりも固着片側に突出する保持片を前記折畳片に設けた構成である。
【００１１】
第６の考案では、第２または第４の考案において、
前記底板に対して前記後板と前記補助側板と前記左右側板とを立設させた状態を保持する保持手段を設け、
前記保持手段は、
前記半完成状態で、
前記第１折目線よりも固着片側に突出する保持片を設けた構成である。
【００１２】
第７の考案では、第１または第２の考案において、
前記底板に対して前記後板と前記補助側板と前記左右側板とを立設させた状態を保持する保持手段を設け、
前記保持手段は、
前記折畳片の前端に延設される係止片と、
前記左右側板の前記左右側板折目線に対向する側の端部に第２折目線を介して連設されるフラップと、
前記第２折目線上の一部の切れ込みによって形成される係止孔と、からなり、
前記第２折目線を折り曲げて、前記左右側板と前記フラップとを屈曲させて、前記係止孔に前記係止片を係合させる構成である。
【００１３】
第８の考案では、第１の考案において、
前記底板に対して前記後板と前記補助側板と前記左右側板とを立設させた状態を保持する保持手段を設け、
前記保持手段は、
前記底板に対して前記後板と前記補助側板と前記左右側板とを立設させた状態で、前記第１折目線よりも前記固着片側に突出する保持片を設けた構成と、
前記折畳片の前端に延設される係止片と、前記左右側板の前記左右側板折目線に対向する側の端部に第２折目線を介して連設されるフラップと、前記第２折目線上の一部の切れ込みによって形成される係止孔と、からなり、前記第２折目線を折り曲げて、前記左右側板と前記フラップとを屈曲させて、前記係止孔に前記係止片を係合させる構成と、からなるものである。
【００１４】
第９の考案では、第２の考案において、
前記底板に対して前記後板と前記補助側板と前記左右側板とを立設させた状態を保持する保持手段を設け、
前記保持手段は、
前記半完成状態で、前記第１折目線よりも前記固着片側に突出する保持片を設けた構成と、
前記折畳片の前端に延設される係止片と、前記左右側板の前記左右側板折目線に対向する側の端部に第２折目線を介して連設されるフラップと、前記第２折目線上の一部の切れ込みによって形成される係止孔と、からなり、前記第２折目線を折り曲げて、前記左右側板と前記フラップとを屈曲させて、前記係止孔に前記係止片を係合させる構成と、からなるものである。
【００１５】
第１０の考案では、第２から第９のいずれか１項に記載の考案において、
前記底板の前に連設される前板と、
前記底板に対して前記前板と前記後板と前記補助側板と前記左右側板とを立設させた状態を保持するとともに、包装用箱の上部の開口部を閉塞させる手提部を設け、
前記手提部は、
前記前板と前記後板とにそれぞれ連設される天部と、
前記左右側板にそれぞれ連設される立上板と、を備え、
天部の一部が重なるように重ね合わせ、
前記天部の両端が前記立上板によって係止させる構成である。
【考案の効果】
【００１６】
本考案の効果として、以下に示すような効果を奏する。
【００１７】
第１の考案においては、半完成状態から固着片と折畳片とを展開することで、補助側板、左右側板、及び後板を底板に対して立設させることができるため、組立作業を迅速に行うことができる。また、側板が底板に対して立設された状態では、左右側板が外側に、補助側板が内側に配置されるため、折目線が側板面に現れず、包装用箱の外観体裁を良好とすることができる。
【００１８】
第２の考案においては、半完成状態から固着片と折畳片とを折畳むことで、補助側板、左右側板、及び後板を底板に対して立設させることができるため、組立作業を迅速に行うことができる。また、側板が底板に対して立設された状態では、左右側板が外側に、補助側板が内側に配置されるため、折目線が側板面に現れず、包装用箱の外観体裁を良好とすることができる。加えて、半完成状態における包装用箱の厚さを薄くすることができる。
【００１９】
第３の考案においては、半完成状態から固着片と折畳片とを展開することで、補助側板、左右側板、及び後板を底板に対して立設させることができるため、組立作業を迅速に行うことができる。また、側板が底板に対して立設された状態では、左右側板が外側に、補助側板が内側に配置されるため、折目線が側板面に現れず、包装用箱の外観体裁を良好とすることができる。
【００２０】
第４の考案においては、半完成状態から固着片と折畳片とを折畳むことで、補助側板、左右側板、及び後板を底板に対して立設させることができるため、組立作業を迅速に行うことができる。また、側板が底板に対して立設された状態では、左右側板が外側に、補助側板が内側に配置されるため、折目線が側板面に現れず、包装用箱の外観体裁を良好とすることができる。加えて、半完成状態における包装用箱の厚さを薄くすることができる。
【００２１】
第５の考案においては、保持片が左右側板と接触することで、保持片が接触する左右側板または後板の外方への広がりを規制するため、余分な組立作業を行うこと無く、左右側板または後板の立設を保持することができ、組立作業を迅速に行うことができる。側板の立設を保持する部材が包装用箱の外側に配置されていないため、包装用箱の外観体裁を良好とすることができる。
【００２２】
第６の考案においては、保持片が左右側板または後板と接触することで、保持片と固着片の広がりを規制するため、余分な組立作業を行うこと無く、左右側板または後板の立設を保持することができ、組立作業を迅速に行うことができる。後板の立設を保持する部材が包装用箱の外側に配置されていないため、包装用箱の外観体裁を良好とすることができる。
【００２３】
第７の考案においては、保持手段を設けることによって、包装用箱の立設を保持し、各側板の外方への広がりを規制することができ、包装用箱の外観体裁を良好とすることができる。また、左右側板とフラップとを屈曲させることで保持手段が係合するため、包装用箱を容易に保持しながら立設することができ、組立作業を迅速に行うことができる。
【００２４】
第８の考案においては、複数の保持手段を設けることによって、さらなる包装用箱の立設を保持し、各側板の外方への広がりを規制することができるため、包装用箱の外観体裁を良好とすることができる。また、側板の組立工程で保持手段が保持係合位置に配置されるため、包装用箱の組立作業を迅速に行うことができる。
【００２５】
第９の考案においては、複数の保持手段を設けることによって、さらなる包装用箱の立設を保持し、各側板の外方への広がりを規制することができるため、包装用箱の外観体裁を良好とすることができる。また、側板の組立工程で保持手段が保持係合位置に配置されるため、包装用箱の組立作業を迅速に行うことができる。
【００２６】
第１０の考案においては、手提部を設けることによって、さらなる包装用箱の立設を保持し、各側板の外方への広がりを規制することができるため、包装用箱の外観体裁を良好とすることができる。また、手提部によって、包装用箱の持ち運びが容易に行うことができ、手提部の組立工程が、包装用箱の上部の開口部を閉塞する工程を兼ねているため、包装用箱の組立作業を迅速に行うことができる。
【図面の簡単な説明】
【００２７】
【図１】第１実施形態に係る包装用箱１０の箱展開形成体１１の平面図。
【図２】同じく包装用箱１０の箱本体１２が組み立てられた状態の斜視簡略図。
【図３】同じく包装用箱１０が折り畳たまれた状態を示す平面図。
【図４】同じく箱本体１２に対して蓋部１３を閉じた状態を示す斜視簡略図。
【図５】同じく蓋部１３を折畳む過程を示す部分平面図。
【図６】同じく前板２２周辺を折畳む過程を示す部分平面図。
【図７】同じく底板２１と後板２３を折畳む過程を示す部分平面図。
【図８】同じく保持片７１を包装用箱１０の内方へと押圧し固着片２４ｂと折畳片２４ａとを展開させる状態を示す図。
【図９】同じく固着片２４ｂと折畳片２４ａが展開された状態を示す斜視簡略図。
【図１０】同じく底板２１に対して後板２３、左右側板２５及び補助側板２４が起立し保持された状態を示す斜視簡略図。
【図１１】同じく前板２２の間隙と左のフラップ２８との関係を示す斜視簡略図。
【図１２】同じく蓋部１３の組み立てが完了した状態を示す斜視簡略図。
【図１３】図４の７−７線における蓋部１３周辺の断面簡略図。
【図１４】第２実施形態に係る包装用箱２１０の箱展開形成体２１１の平面図。
【図１５】同じく包装用箱２１０が折り畳たまれた状態を示す平面図。
【図１６】同じく固着片２４ｂと折畳片２４ａが展開された状態を示す斜視簡略図。
【図１７】同じく底板２１に対して後板２３、左右側板２５及び補助側板２４が起立し保持された状態を示す斜視簡略図。
【図１８】第３実施形態に係る包装用箱３１０の箱展開形成体３１１の平面図。
【図１９】同じく補助側板３２４を折畳む過程を示す平面図。
【図２０】同じく包装用箱３１０が折り畳たまれた状態を示す平面図。
【図２１】同じく底板３２１に対して後板３２３、左右側板３２５及び補助側板３２４が起立し保持された状態を示す斜視簡略図。
【図２２】同じく包装用箱３１０の箱本体３１２が組み立てられた状態の斜視簡略図。
【図２３】同じく箱本体３１２に対して蓋部３１３を閉じた状態を示す斜視簡略図。
【図２４】第４実施形態に係る包装用箱４１０の箱展開形成体４１１の平面図。
【図２５】同じく包装用箱４１０が折り畳たまれた状態を示す平面図。
【図２６】同じく底板３２１に対して後板３２３、左右側板３２５及び補助側板３２４が起立し保持された状態を示す斜視簡略図。
【図２７】第５実施形態に係る包装用箱５１０の箱展開形成体５１１の平面図。
【図２８】同じく包装用箱５１０が折り畳たまれた状態を示す平面図。
【図２９】同じく底板２１に対して後板２３、左右側板２５及び補助側板２４が起立し保持された状態を示す斜視簡略図。
【図３０】同じく箱本体１２に対して手提部１８を閉じた状態を示す斜視簡略図。
【考案を実施するための形態】
【００２８】
次に、考案の実施の形態について図を用いて説明する。
【００２９】
本考案の第１実施形態に係る包装用箱１０について、図１から図４を用いて説明する。
【００３０】
包装用箱１０は、図１に示す箱展開形成体１１を組み立てて形成される。包装用箱１０は、板紙、段ボール等の厚紙で形成されて、菓子等の物品を収納する。包装用箱１０は、厚紙の他、樹脂素材を用いた板状部材等で形成されてもよい。本実施形態に係る包装用箱１０は、図２に示すように、箱本体１２に蓋部１３が開閉自在に連設されるヒンジ式の紙箱である。包装用箱１０は図３に示すように、折畳まれた半完成状態で菓子店等に納品され、物品を収納する前に組み立ての一部が行われて、物品収納後にさらに組み立てが行われて完成状態の包装用箱１０とされる（図４参照）。
【００３１】
以下では、説明を容易にするため、箱本体１２に蓋部１３が連設される側を後側、後側に対向する側を前側とし、他方の対向する側を左右側とする。すなわち、図２では図示右下側が前方となり、左上側が後方となる。また、上下方向は、包装用箱１０を組み立てて、底板２１を下にして載置した状態で、底板２１側を下方とする。また、箱展開形成体１１の左右対称に現れる箇所は、左側を主として説明をする。尚、第１実施形態の包装用箱１０の平面形状は長方形であるが、正方形等の他の形状に変更してもよい。また、後述する他の実施形態の包装用箱２１０・３１０・４１０・５１０も同様に、正方形等のほかの形状に変更してよい。
【００３２】
図１に示す箱展開形成体１１に従って、包装用箱１０の箱本体１２を構成する部分を説明する。図１は、包装用箱１０の内側となる面を紙面手前側として示している。
【００３３】
底板２１は、包装用箱１０の底部を構成する部分である。底板２１の前縁部（図示下縁部）には、箱本体１２の前側を構成する前板２２が、前板折目線４１を介して連設される。底板２１の後縁部（図中上縁部）には、箱本体１２の後側を構成する後板２３が、後板折目線４２を介して連設される。底板２１の左右縁部には、補助側板折目線４３を介して一対の補助側板２４が連設される。さらに、前記後板２３の左右縁部には、箱本体１２の左右の側板を構成する一対の左右側板２５が、左右側板折目線４４を介して連設される。
【００３４】
前記前板２２の上部となる縁部（図示下縁部）には、挟持フラップ２６が挟持フラップ折目線４５を介して連設される。さらに、前板２２の左右縁部には、一対の側部フラップ２７が側部フラップ折目線４６を介して連設される。
【００３５】
補助側板２４は、折畳片２４ａ、固着片２４ｂ、第１折目線４７、及び保持片７１によって構成される。詳しくは、底板２１の左右縁部に補助側板折目線４３を介して、略三角形の折畳片２４ａが連設され、折畳片２４ａの一端には、第１折目線４７を介して略三角形の固着片２４ｂが連設される。前記第１折目線４７は、補助側板２４の後部下端（後板折目線４２の端部近傍）から前上端部に掛けて、補助側板２４を略二等分するように形成される。
【００３６】
また、前記第１折目線４７は、途中で分断されており、分断された箇所には、保持片７１が延設される。保持片７１は、前記第１折目線４７よりも前記固着片２４ｂ側に突出するように補助側板２４を切り込んだ切り目により形成される。従って、第１折目線４７及び保持片７１を介して、補助側板２４は、その後上側を固着片２４ｂ、その前下側を折畳片２４ａとなるように区画される。前記折畳片２４ａの前縁部（図示下縁部）の下部となる一部には、保持手段を構成する係止片７３が延設される。係止片７３は、後述する係止孔７２と係合する。
【００３７】
左右側板２５の前部となる縁部（図示左右縁部）には、フラップ２８が第２折目線４８を介して連設される。左右側板２５の上縁部には、上部フラップ２９が上部フラップ折目線４９を介して形成される。
【００３８】
第２折目線４８上には、包装用箱１０の組立時に前記係止片７３が接触するであろう箇所に切れ目を入れることによって係止孔７２が形成される。上部フラップ２９の下縁部の一部には、上部フラップ折目線４９よりも下方に突出するように切り込まれた蓋係止爪７４が延設される。
【００３９】
次に、包装用箱１０の蓋部１３を構成する部分を説明する。
前記後板２３の図示上端には、蓋部１３の天部を構成する天板部３１が、蓋部連結折目線５１を介して連設される。天板部３１の対向する左右縁部には、蓋部１３の左右の側板を構成する蓋部側板３２が、蓋部側板折目線５２を介して連設される。天板部３１の図示上端部には、蓋部１３の前部の側板を構成する蓋部前板３３が、蓋部前板折目線５３を介して連設される。
【００４０】
蓋部前板折目線５３の端部近傍から蓋部側板３２の開放端の上下中途部に掛けて、蓋部側板３２を折畳み可能とする蓋部側板折畳用折目線５４が形成される。よって、蓋部側板３２は、蓋部側板折畳用折目線５４を介して、図示上側を固着片３２ａと、下側を折畳片３２ｂとなるように区画される。蓋部前板３３の左右端部には、連結フラップ３４が連結フラップ折目線５５を介して連設される。蓋部前板３３は、凹状となるように、その下縁部（図中上縁部）を切り欠くことによって、箱本体１２から蓋部１３を開く際の手がかり３５が形成される。
【００４１】
次に図１から図７を用いて、包装用箱１０を半完成状態（図３参照）まで組み立てる場合について説明する。
【００４２】
先ずは、蓋部１３について説明をする。
図１の箱展開形成体１１の状態で、蓋部側板折目線５２を谷折することで、図５の（Ａ）に示すように、蓋部側板３２が天板部３１に重なるように折畳まれる。同様に、連結フラップ折目線５５を谷折することで、連結フラップ３４が蓋部前板３３に重なるように折畳まれる。続いて、蓋部側板折畳用折目線５４を谷折することで、図５の（Ｂ）に示すように、蓋部側板３２の固着片３２ａが折畳片３２ｂの上面に重なるように折り返される。次に、蓋部前板折目線５３を谷折することで、図５の（Ｃ）に示すように、蓋部前板３３が蓋部１３の内側方向に折畳たたまれる。従って、蓋部前板３３が天板部３１に重なるように折畳まれることで、連結フラップ３４は固着片３２ａの上面に重なるように配置される。
【００４３】
さらに、連結フラップ３４と固着片３２ａの接触する部分には、連結フラップ固定部６１が形成される。連結フラップ固定部６１に接着剤等の固着手段を付することで、連結フラップ３４と固着片３２ａは貼着固定される。従って、蓋部１３は平坦な半完成状態となる。
【００４４】
次に、箱本体１２について説明をする。先ずは、前板２２について説明をする。図６の（Ａ）に示すように、側部フラップ折目線４６を谷折することで、側部フラップ２７は前板２２に重なるように折畳まれる。さらに、図６の（Ｂ）に示すように、挟持フラップ折目線４５を谷折することで、挟持フラップ２６は、側部フラップ２７の上面及び前板２２に重なるように折畳まれる。挟持フラップ２６と前板２２の接触する部分は、挟持フラップ固定部６２が形成される。その挟持フラップ固定部６２に接着剤等の固着手段を付することで、挟持フラップ２６と前板２２は貼着固定される。但し、側部フラップ２７と挟持フラップ２６とが重なる部分は、固着されずに間隙が形成される。
【００４５】
一方、補助側板２４において、図７の（Ａ）に示すように、第１折目線４７を谷折することで、補助側板２４の固着片２４ｂは、折畳片２４ａに重なるように折畳まれる。但し、保持片７１は、前記第１折目線４７を分断するように折畳片２４ａから延設されているため、固着片２４ｂとともに折畳まれることなく、折畳片２４ａから延設された同一平面上に位置する。
【００４６】
続いて、図７の（Ｂ）に示すように、後板折目線４２を谷折することで、後板２３は底板２１に重なるように折畳まれる。従って、後板２３の左右に連設された左右側板２５は、補助側板２４の固着片２４ｂの上面に重なるように配置される。左右側板２５と補助側板２４の接触する部分には、左右側板固定部６３が保持片７１に対向する二辺に沿うように形成される。その左右側板固定部６３に接着剤等の固着手段を付することで、左右側板２５と補助側板２４の固着片２４ｂとは貼着固定される。
【００４７】
従って、図３に示すように、包装用箱１０は略半分に折畳まれた略Ｔ字状の半完成状態となる。半完成状態では、包装用箱１０は厚さが薄く、コンパクトであるため、保管や運搬が容易となる。
【００４８】
次に、折畳まれた半完成状態の包装用箱１０を完成体まで組み立てる手順について説明する。
先ず、略三角形状に折畳まれていた補助側板２４の固着片２４ｂと折畳片２４ａを展開する。具体的には、図３の（Ｂ）の底板２１を上方に向けた状態から、折畳片２４ａを持ち上げて固着片２４ｂと折畳片２４ａを展開しつつ、保持片７１を固着片２４ｂの方へ押圧する（図８参照）。保持片７１が、その内面を左右側板２５に接触させた状態から、その外面を左右側板２５側に押圧しつつ反転させて、外面を左右側板２５に接触させた状態に移行することにより、固着片２４ｂと折畳片２４ａは折畳まれた状態から図９に示す略同一平面となるように展開される。
【００４９】
このように、保持片７１が第１折目線４７よりも固着片２４ｂ側に突出するように形成されていることで、保持片７１の外面が左右側板２５の内面と接触して、固着片２４ｂと折畳片２４ａが屈曲することを阻止するため、左右側板２５の包装用箱１０外方への広がりを規制することができ、左右側板２５の立設を保持することができる。
【００５０】
尚、本実施形態の保持片７１は、第１折目線４７を分断するように、折畳片２４ａから延設されている。しかしながら、保持片７１は、第１折目線４７よりも突出するように折畳片２４ａから延設されていれば、第１折目線４７の端部近傍に形成しても、複数形成しても良い。また、保持片７１は、包装用箱１０を組み立てる際に、左右側板２５に対して、保持片７１がその内面を接触させた状態から、無理なく反転して、保持片７１の外面を接触させることが可能であれば、形状及び大きさは限定しない。
【００５１】
続いて、折畳片２４ａと左右側板２５とを接触させながら、第２折目線４８を山折することで、図１０に示すように、フラップ２８は包装用箱１０の内方へと折り返される。すると、補助側板２４の前部の係止片７３が、第２折目線４８上の係止孔７２に挿し込まれる。従って、補助側板２４の折畳片２４ａと左右側板２５との離間は、保持手段である係止孔７２と係止片７３との係合によってさらに規制されて、底板２１に対して三側板（後板２３、補助側板２４、及び左右側板２５）を起立保持させることができる。
【００５２】
前記係止孔７２及び係止片７３によって構成される本実施形態の保持手段は、左右側板２５を底板２１に対して立設させた状態において、第２折目線４８の下部に配置されるが、第２折目線４８及び折畳片２４ａの前端上であれば良い。但し、固着片２４ｂよりも離れた位置に係止孔７２及び係止片７３を配置することが望ましい。
【００５３】
また、前記状態の包装用箱１０において、補助側板２４は左右側板２５の内側に配置されるため、補助側板２４の第１折目線４７が左右側板２５に隠されて外部に露出しない。そのため、包装用箱１０の外観体裁を良好とすることができる。
【００５４】
尚、本実施形態では、後板２３、補助側板２４、及び左右側板２５を底板２１に対して立設させるために、保持手段として、保持片７１、及び、係止孔７２と係止片７３の両方を設けている。しかしながら、保持手段は、いずれかのみであってもよく、また、他の保持手段と組み合わされて配置されても良い。
【００５５】
底板２１に対して三側板（後板２３、補助側板２４、及び左右側板２５）が起立した状態において、包装用箱１０の前部及び上部は、開放された状態にある。従って、菓子等の物品を収納する際には、この包装用箱１０の前部及び上部の開放部から、物品を包装用箱１０内に容易に収納することができる。
【００５６】
物品を収納した後、前板折目線４１を谷折することで、前板２２は底板２１に対して起立される。さらに、側部フラップ２７と挟持フラップ２６とによって形成された間隙に、左右側板２５に連設されたフラップ２８が差し込まれる（図１１参照）。よって、フラップ２８は、側部フラップ２７と挟持フラップ２６に挟持され、前板２２は底板２１に対して安定した形で起立される。フラップ２８に連設された左右側板２５も底板２１に対して安定した形で起立される。
【００５７】
続いて、上部フラップ折目線４９を谷折することで、上部フラップ２９は包装用箱１０の内方に折り返される。蓋係止爪７４が包装用箱１０の外方に突出される。よって、図２に示すように、箱本体１２が組み立てられる。このように、半完成状態から補助側板２４、左右側板２５、後板２３、前板２２を底板２１に対して起立させるだけで、箱本体１２の組み立てが完了するため、組立作業を迅速に行うことができる。
【００５８】
次に、蓋部１３を組み立てる場合について説明する。
図５に示すように、蓋部側板３２の端部である固着片３２ａは、連結フラップ３４によって蓋部前板３３に連結されている。そのため、天板部３１に対して、蓋部側板３２の折畳片３２ｂを引起して起立させると、略三角形状に折畳まれていた固着片３２ａを展開させながら、蓋部側板３２の動きに連動して、蓋部前板３３も天板部３１に対して起立される。従って、図１２に示す蓋部１３の組み立てが完了した状態となる。
【００５９】
さらに、箱本体１２の上部の開口部は、蓋部１３によって閉塞される。具体的には、蓋部連結折目線５１を谷折することで、天板部３１が前方に折り返される。続いて、左右側板２５の外面が蓋部側板３２内面に、前板２２の外面が蓋部前板３３の内面に接触するように、箱本体１２の上部は、蓋部１３に内挿される。よって、包装用箱１０は、図４に示すように完成体となる。
【００６０】
ここで、図１２及び図１３に示す蓋係止爪７４は、箱本体１２の外方に突出されており、完成体における連結フラップ３４上端と天板部３１との間隙に挿入される。従って、蓋係止爪７４が連結フラップ３４の上端に接触するため、箱本体１２の上部が蓋部１３によって閉塞され続けて、包装用箱１０の形状が保持される。
【００６１】
但し、箱本体１２の上部を開放するには、蓋部側板３２を外方に引っ張るか、または、左右側板２５を内方に押圧することで、蓋係止爪７４と連結フラップ３４との係止関係を解消させながら、箱本体１２の上部の開放部から蓋部１３を分離させる。
使用後の包装用箱１０をリサイクルや破棄する場合、係合手段である係止孔７２と係止片７３は、係脱可能に構成されているため、組立手順と逆の手順で容易に包装用箱１０を半完成状態に折畳むことができ、包装用箱１０の嵩を小さくして廃棄することができる。
【００６２】
以上の如く、第１実施形態の包装用箱１０は、物品を収容する包装用箱であって、底板２１と、前記底板２１の後に後板折目線４２を介して連設される後板２３と、前記後板２３の左右に連設される左右側板２５と、前記底板２１の左右に連設される折畳片２４ａと、前記後板折目線４２の端部近傍から斜め方向に形成される第１折目線４７を介して前記折畳片２４ａに連設される固着片２４ｂと、を有する補助側板２４と、を備え、前記固着片２４ｂと前記折畳片２４ａとが重なるように前記第１折目線４７で折畳み、前記固着片２４ｂと前記左右側板２５とを重ね合わせるように、前記底板２１と前記後板２３とを前記後板折目線４２で折畳み、前記固着片２４ｂと前記左右側板２５とを固着して半完成状態とし、前記半完成状態から、前記固着片２４ｂと前記折畳片２４ａとを展開することで、前記補助側板２４、前記左右側板２５及び前記後板２３を前記底板２１に対して立設させて組み立て状態とするものである。
このように構成することにより、半完成状態から固着片２４ｂと折畳片２４ａとを展開することで、補助側板２４、左右側板２５、及び後板２３を底板２１に対して立設させることができるため、組立作業を迅速に行うことができる。また、各側板２３・２４・２５が底板２１に対して立設された状態では、左右側板２５が外側に、補助側板２４が内側に配置されるため、第１折目線４７が左右側板２５面に現れず、包装用箱１０の外観体裁を良好とすることができる。
【００６３】
第１実施形態の包装用箱１０は、前記底板２１に対して前記後板２３と前記補助側板２４と前記左右側板２５とを立設させた状態を保持する保持手段を設け、前記保持手段は、前記底板２１に対して前記後板２３と前記補助側板２４と前記左右側板２５とを立設させた状態で、前記第１折目線４７よりも前記固着片２４ｂ側に突出する保持片７１を前記折畳片２４ａに設けた構成のものである。
このように構成することにより、保持片７１が左右側板２５と接触することで、保持片７１が接触する左右側板２５の外方への広がりを規制するため、余分な組立作業を行うこと無く、左右側板２５の立設を保持することができ、組立作業を迅速に行うことができる。各側板２３・２４・２５の立設を保持する部材が包装用箱１０の外側に配置されていないため、包装用箱１０の外観体裁を良好とすることができる。
【００６４】
第１実施形態の包装用箱１０の保持手段は、前記底板２１に対して前記後板２３と前記補助側板２４と前記左右側板２５とを立設させた状態を保持する保持手段を設け、前記保持手段は、前記折畳片２４ａの前端に延設される係止片７３と、前記左右側板２５の前記左右側板折目線４４に対向する側の端部に第２折目線４８を介して連設されるフラップ２８と、前記第２折目線４８上の一部の切れ込みによって形成される係止孔７２と、からなり、前記第２折目線４８を折り曲げて、前記左右側板２５と前記フラップ２８とを屈曲させて、前記係止孔７２に前記係止片７３を係合させる構成である。
このように構成することにより、包装用箱１０の立設を保持し、各側板２３・２４・２５の外方への広がりを規制することができ、包装用箱１０の外観体裁を良好とすることができる。また、左右側板２５とフラップ２８とを屈曲させることで保持手段が係合するため、包装用箱１０を容易に保持しながら立設することができ、組立作業を迅速に行うことができる。
【００６５】
次に、本考案の第２実施形態にかかる包装用箱２１０について、図１４から図１７を用いて説明する。
【００６６】
第２実施形態に係る包装用箱２１０は、固着片２４ｂの固着位置を変えることによって、半完成状態における第１実施形態の補助側板２４の固着片２４ｂおよび固着片２４ｂを同一平面状に構成したものである。そのため、第１実施形態と共通する部分に関しては、以下、同じ符号を付し説明は省略する。
【００６７】
第２実施形態の箱展開形成体２１１は、第１実施形態の箱展開形成体１１（図１参照）の左右側板固定部６３の位置のみが異なるため全体構成の説明を省略する。
【００６８】
次に、包装用箱２１０を半完成状態（図１５参照）まで組み立てる場合について説明する。但し、蓋部１３および前板２２については、第１実施形態のそれらと同じであるため説明を省略し、箱本体２１２の左右の補助側板２４および左右側板２５を中心に説明する。
【００６９】
図１４に示す状態から、蓋部１３および前板２２の周辺を組み立てた後、後板折目線４２を谷折することで、図１５に示すように、後板２３は底板２１に重なるように折畳まれる。従って、後板２３の左右に連設された左右側板２５は、補助側板２４の上面に重なるように配置される。左右側板２５と補助側板２４の接触する部分である固着片２４ｂには、左右側板固定部２６３が保持片７１に対向する二辺に沿うように形成される。左右側板２５および固着片２４ｂの内面に配置される左右側板固定部２６３に接着剤等の固着手段を付することで、左右側板２５と補助側板２４の固着片２４ｂとは貼着固定される。
【００７０】
従って、図１５に示すように、包装用箱２１０は略半分に折畳まれた略Ｔ字状の半完成状態となる。この半完成状態では、包装用箱２１０は厚さが薄く、コンパクトであるため、保管や運搬が容易となる。特に、半完成状態における第２実施形態の包装用箱２１０は、第１実施形態の包装用箱１０（図３参照）に比べて、折畳片２４ａと固着片２４ｂが重なり合わず同一平面状に配置されるため、さらに厚さが薄くなる。
【００７１】
次に、折畳まれた半完成状態の包装用箱２１０を完成体まで組み立てる手順について説明する。但し、第１実施形態と同じ部位の同じ手順は説明を省略する。
【００７２】
先ず、同一平面上にある保持片７１を押圧しながら、第１折目線４７を谷折して略三角形状となるように補助側板２４の固着片２４ｂと折畳片２４ａを折畳む。具体的には、図１５の（Ｂ）の底板２１を上方に向けた状態から、保持片７１を左右側板２５側へと押圧しながら、固着片２４ｂと折畳片２４ａとが重なるように第１折目線４７を谷折する。保持片７１が、その内面を左右側板２５に接触させた状態から、その内面を左右側板２５側に押圧しつつ反転させて（図１５の（Ｂ）の一部白抜き矢印参照）、外面を左右側板２５に接触させた状態に移行することにより、固着片２４ｂと折畳片２４ａは略同一平面の状態から図１６に示すように、それぞれの外面を接触させた状態で折畳まれる。
【００７３】
このような包装用箱２１０の組み立てた状態において、保持片７１が第１折目線４７よりも後板２３側に突出するように形成されていることで、保持片７１の外面が左右側板２５の内面と接触して、固着片２４ｂと折畳片２４ａが略同一平面へと戻ることを阻止する。そのため、左右側板２５の包装用箱２１０外方への広がりを規制することができ、左右側板２５の立設を保持することができる。
【００７４】
尚、第１実施形態と同様に第２実施形態の保持片７１は、第１折目線４７を分断するように、折畳片２４ａから延設されている。しかしながら、保持片７１は、第１折目線４７よりも突出するように折畳片２４ａから延設されていれば、第１折目線４７の端部近傍に形成しても、複数形成しても良い。また、保持片７１は、包装用箱２１０を組み立てる際に、左右側板２５に対して、保持片７１がその内面を接触させた状態から、無理なく反転して、保持片７１の外面を接触させることが可能であれば、形状及び大きさは限定しない。
【００７５】
続いて、折畳片２４ａと左右側板２５とを接触させながら、第２折目線４８を山折することで、図１７に示すように、フラップ２８は包装用箱２１０の内方へと折り返される。すると、補助側板２４の前部の係止片７３が、第２折目線４８上の係止孔７２に挿し込まれる。従って、補助側板２４の折畳片２４ａと左右側板２５に貼着固定された固着片２４ｂとの離間は、保持手段である係止孔７２と係止片７３との係合によってさらに規制されて、底板２１に対して三側板（後板２３、補助側板２４の折畳片２４ａと固着片２４ｂ、及び左右側板２５）を起立保持させることができる。
【００７６】
第１実施形態と同様に、前記係止孔７２及び係止片７３によって構成される第２実施形態の保持手段は、左右側板２５を底板２１に対して立設させた状態において、第２折目線４８の下部に配置されるが、第２折目線４８及び折畳片２４ａの前端上であれば良い。但し、折畳片２４ａと固着片２４ｂとがなす離間距離の長い位置、つまり第２折目線４８の下部に係止孔７２及び係止片７３を配置することが望ましい。
【００７７】
また、前記状態の包装用箱２１０において、補助側板２４は左右側板２５の内側に配置されるため、補助側板２４の第１折目線４７が左右側板２５に隠されて外部に露出しない。そのため、包装用箱２１０の外観体裁を良好とすることができる。
【００７８】
尚、第２実施形態では、後板２３、補助側板２４、及び左右側板２５を底板２１に対して立設させるために、保持手段として、保持片７１、及び、係止孔７２と係止片７３の両方を設けている。しかしながら、保持手段は、いずれかのみであってもよく、また、他の保持手段と組み合わされて配置されても良い。
【００７９】
底板２１に対して三側板（後板２３、補助側板２４、及び左右側板２５）が起立した状態において、包装用箱２１０の前部及び上部は、開放された状態にある。従って、菓子等の物品を収納する際には、この包装用箱２１０の前部及び上部の開放部から、物品を包装用箱２１０内に容易に収納することができる。
【００８０】
前板２２周辺および蓋部１３の組立については、第１実施形態と同じであるため、説明は省略する。
但し、第２実施形態の包装用箱２１０は、図４に示す包装用箱１０と同様の完成体となる。
【００８１】
以上の如く、第２実施形態の包装用箱２１０は、物品を収容する包装用箱であって、底板２１と、前記底板２１の後に後板折目線４２を介して連設される後板２３と、前記後板２３の左右に連設される左右側板２５と、前記底板２１の左右に連設される折畳片２４ａと、前記後板折目線４２の端部近傍から斜め方向に形成される第１折目線４７を介して前記折畳片２４ａに連設される固着片２４ｂと、を有する補助側板２４と、を備え、前記補助側板２４と前記左右側板２５とを重ね合わせるように、前記底板２１と前記後板２３とを前記後板折目線４２で折畳み、前記補助側板２４の前記固着片２４ｂと前記左右側板２５とを固着して半完成状態とし、前記半完成状態から、前記固着片２４ｂと前記折畳片２４ａとが重なるように前記第１折目線４７で折畳むことで、前記補助側板２４、前記左右側板２５及び前記後板２３を前記底板２１に対して立設させて組み立て状態とするものである。
このように構成することにより、半完成状態から固着片２４ｂと折畳片２４ａとを折畳むことで、補助側板２４、左右側板２５、及び後板２３を底板２１に対して立設させることができるため、組立作業を迅速に行うことができる。また、各側板２３・２４・２５が底板２１に対して立設された状態では、左右側板２５が外側に、補助側板２４が内側に配置されるため、第１折目線４７が左右側板２５面に現れず、包装用箱２１０の外観体裁を良好とすることができる。加えて、半完成状態における包装用箱２１０の厚さを薄くすることができる。
【００８２】
第２実施形態の包装用箱２１０は、前記底板２１に対して前記後板２３と前記補助側板２４と前記左右側板２５とを立設させた状態を保持する保持手段を設け、前記保持手段は、前記半完成状態で、前記第１折目線４７よりも固着片２４ｂ側に突出する保持片７１を設けた構成である。
このように構成することにより、保持片７１が左右側板２５または後板２３と接触することで、保持片７１と固着片２４ｂの広がりを規制するため、余分な組立作業を行うこと無く、左右側板２５または後板２３の立設を保持することができ、組立作業を迅速に行うことができる。後板２３の立設を保持する部材が包装用箱２１０の外側に配置されていないため、包装用箱２１０の外観体裁を良好とすることができる。
【００８３】
第２実施形態の包装用箱２１０の保持手段は、前記底板２１に対して前記後板２３と前記補助側板２４と前記左右側板２５とを立設させた状態を保持する保持手段を設け、前記保持手段は、前記折畳片２４ａの前端に延設される係止片７３と、前記左右側板２５の前記左右側板折目線４４に対向する側の端部に第２折目線４８を介して連設されるフラップ２８と、前記第２折目線４８上の一部の切れ込みによって形成される係止孔７２と、からなり、前記第２折目線４８を折り曲げて、前記左右側板２５と前記フラップ２８とを屈曲させて、前記係止孔７２に前記係止片７３を係合させる構成である。
このように構成することにより、保持手段を設けることによって、包装用箱２１０の立設を保持し、各側板２３・２４・２５の外方への広がりを規制することができ、包装用箱２１０の外観体裁を良好とすることができる。また、左右側板２５とフラップ２８とを屈曲させることで保持手段が係合するため、包装用箱２１０を容易に保持しながら立設することができ、組立作業を迅速に行うことができる。
【００８４】
次に、本考案の第３実施形態にかかる包装用箱３１０について、図１８から図２３を用いて説明する。
【００８５】
図１８に示す箱展開形成体３１１に従って、包装用箱３１０の箱本体３１２を構成する部分を説明する。また図１８は、包装用箱３１０の内側となる面を紙面手前側として示している。
【００８６】
底板３２１は、包装用箱３１０の底部を構成する部分である。底板３２１の前縁部（図示下縁部）には、箱本体３１２の前側を構成する第１実施形態と同様の前板２２が、前板折目線３４１を介して連設される。底板３２１の後縁部（図中上縁部）には、箱本体３１２の後側を構成する後板３２３が、後板折目線３４２を介して連設される。底板３２１の左右縁部には、箱本体３１２の左右の側板を構成する一対の左右側板３２５が、左右側板折目線３４４を介して連設される。さらに、前記左右側板３２５の後縁部には、補助側板折目線３４３を介して一対の補助側板３２４が連設される。
【００８７】
前記前板２２の上部となる縁部（図示下縁部）には、挟持フラップ２６が挟持フラップ折目線４５を介して連設される。さらに、前板２２の左右縁部には、一対の側部フラップ２７が側部フラップ折目線４６を介して連設される。
【００８８】
左右側板３２５の前部となる縁部（図示下縁部）には、フラップ３２８が第２折目線３４８を介して連設される。左右側板３２５の上部となる縁部（図示左右縁部）には、上部フラップ３２９が上部フラップ折目線３４９を介して形成される。
【００８９】
上部フラップ３２９の下縁部の一部には、上部フラップ折目線３４９よりも下方に突出するように切り込まれた蓋係止爪３７４が延設される。
【００９０】
補助側板３２４は、折畳片３２４ａ、固着片３２４ｂ、第１折目線３４７、及び保持片３７１によって構成される。詳しくは、左右側板３２５の後縁部に補助側板折目線３４３を介して、大小二つの三角形を合せた形状の折畳片３２４ａが連設され、折畳片３２４ａの一端には、第１折目線３４７を介して略三角形の固着片３２４ｂが連設される。前記第１折目線３４７は、補助側板３２４の後部下端（後板折目線３４２の端部近傍）から前上端部に掛けて、補助側板３２４を略二等分するように形成される。
【００９１】
但し、後板３２３の左右長さが左右の補助側板折目線３４３の長さをあわせたものよりも長ければ、折畳片３２４ａの形状を略三角形に形成してもよい。
【００９２】
また、前記第１折目線３４７は、途中で分断されており、分断された箇所には、保持片３７１が延設される。保持片３７１は、前記第１折目線３４７よりも前記固着片３２４ｂ側に突出するように補助側板３２４を切り込んだ切り目により形成される。従って、第１折目線３４７及び保持片３７１を介して、補助側板３２４は、その後上側を固着片３２４ｂ、その前下側を折畳片３２４ａとなるように区画される。
【００９３】
次に、前記後板３２３の図示上端には、第１実施形態と同様の蓋部１３の天部を構成する天板部３１が、蓋部連結折目線３５１を介して連設される。第３実施形態における蓋部１３の構成する部分は、第１実施形態と同様であるため詳細については説明を省略する。
【００９４】
次に図１８から図２３を用いて、包装用箱３１０を半完成状態（図２０参照）まで組み立てる場合について説明する。
【００９５】
蓋部１３については、第１実施形態の蓋部１３と同様であるため説明を省略する。
【００９６】
次に、箱本体３１２について説明をする。但し、前板２２の周辺については第１実施形態の前板２２と同様であるため説明を省略する。
【００９７】
図１８に示す状態から、蓋部１３および前板２２の周辺を組み立てた後、図１９に示すように、補助側板３２４において、第１折目線３４７を谷折することで、固着片３２４ｂは、折畳片３２４ａに重なるように折畳まれる。但し、保持片３７１は、前記第１折目線３４７を分断するように折畳片３２４ａから延設されているため、固着片３２４ｂとともに折畳まれることなく、折畳片３２４ａから延設された同一平面上に位置する。
【００９８】
続いて、図１９および図２０の（Ａ）に示すように、左右側板折目線３４４を谷折することで、左右側板３２５は底板３２１に重なるように折畳まれる。同時に、左右側板３２５の後端に連設された補助側板３２４は、後板３２３の上面に重なるように配置される。従って、後板３２３の上面に固着片３２４ｂ、さらに固着片３２４ｂの上面に折畳片３２４ａが重なるように配置される。後板３２３と補助側板３２４の接触する部分である固着片３２４ｂには、後板固定部３６３が保持片３７１に対向する二辺に沿うように形成される。その後板固定部３６３に接着剤等の固着手段を付することで、後板３２３と補助側板３２４の固着片３２４ｂとは貼着固定される。従って、図２０の（Ａ）に示すように、包装用箱３１０は略半分に折畳まれた略長方形状の第１の半完成状態となる。
【００９９】
この第１の半完成状態から、さらに後板折目線３４２（図１９参照）および補助側板折目線３４３を谷折にすることで、後板３２３および補助側板３２４（折畳片３２４ａおよび固着片３２４ｂ）は、左右側板３２５に重なるように折畳まれる（図２０の（Ｂ）参照）。
【０１００】
従って、包装用箱３１０は、図１８に示す箱展開形成体３１１の略四分の一に折畳まれた図２０の（Ｂ）に示す長方形の第２の半完成状態となる。この第２の半完成状態では、包装用箱３１０は、コンパクトであるため、保管や運搬が容易となる。
【０１０１】
次に、折畳まれた第１の半完成状態の包装用箱３１０を完成体まで組み立てる手順について説明する。
先ず、略三角形状に折畳まれていた補助側板３２４の固着片３２４ｂと折畳片３２４ａを展開する。具体的には、図２０の（Ａ）の折畳片３２４ａを上方に向けた状態から、折畳片３２４ａを持ち上げて固着片３２４ｂと折畳片３２４ａを展開しつつ、保持片３７１を固着片３２４ｂの方へ押圧する（図２０の（Ａ）一部白抜き矢印参照）。保持片３７１が、その内面を後板３２３に接触させた状態から、その外面を後板３２３側に押圧しつつ反転させて、外面を後板３２３に接触させた状態に移行することにより、固着片３２４ｂと折畳片３２４ａは折畳まれた状態から図２１に示す略同一平面となるように展開される。
【０１０２】
このように、保持片３７１が第１折目線３４７よりも固着片３２４ｂ側に突出するように形成されていることで、保持片３７１の外面が後板３２３の内面と接触して、固着片３２４ｂと折畳片３２４ａが屈曲することを阻止する。そのため、後板３２３の包装用箱３１０外方への広がりを規制することができ、後板３２３の立設を保持することができる。
【０１０３】
尚、第３実施形態の保持片３７１は、第１折目線３４７を分断するように、折畳片３２４ａから延設されている。しかしながら、保持片３７１は、第１折目線３４７よりも突出するように折畳片３２４ａから延設されていれば、第１折目線３４７の端部近傍に形成しても、複数形成しても良い。また、保持片３７１は、包装用箱３１０を組み立てる際に、後板３２３に対して、保持片３７１がその内面を接触させた状態から、無理なく反転して、保持片３７１の外面を接触させることが可能であれば、形状及び大きさは限定しない。
【０１０４】
また、前記状態の包装用箱３１０において、補助側板３２４は後板３２３の内側に配置されるため、補助側板３２４の第１折目線３４７が後板３２３に隠されて外部に露出しない。そのため、包装用箱３１０の外観体裁を良好とすることができる。
【０１０５】
尚、第３実施形態では、後板３２３、補助側板３２４、及び左右側板３２５を底板３２１に対して立設させるために、保持手段として、保持片３７１を設けている。しかしながら、保持手段は、他の保持手段と組み合わされて配置されても良い。
【０１０６】
底板３２１に対して三側板（後板３２３、補助側板３２４、及び左右側板３２５）が起立した状態において、包装用箱３１０の前部及び上部は、開放された状態にある。従って、菓子等の物品を収納する際には、この包装用箱３１０の前部及び上部の開放部から、物品を包装用箱３１０内に容易に収納することができる。
【０１０７】
物品を収納した後、前板折目線３４１を谷折することで、前板２２は底板３２１に対して起立される。さらに、側部フラップ２７と挟持フラップ２６とによって形成された間隙に、左右側板３２５に連設されたフラップ３２８が差し込まれる。よって、フラップ３２８は、側部フラップ２７と挟持フラップ２６に挟持され、前板２２は底板３２１に対して安定した形で起立される。フラップ３２８に連設された左右側板３２５も底板３２１に対して安定した形で起立される。
【０１０８】
続いて、上部フラップ折目線３４９を谷折することで、上部フラップ３２９は包装用箱３１０の内方に折り返される。蓋係止爪３７４が包装用箱３１０の外方に突出される。よって、箱本体３１２が組み立てられる。このように、半完成状態から補助側板３２４、左右側板３２５、後板３２３、前板２２を底板３２１に対して起立させるだけで、箱本体３１２の組み立てが完了するため、組立作業を迅速に行うことができる。
【０１０９】
さらに、箱本体３１２の上部の開口部は、蓋部１３によって閉塞される。具体的には、蓋部連結折目線３５１を谷折することで、天板部３１が前方に折り返される。続いて、左右側板３２５の外面が蓋部側板３２の内面に、前板２２の外面が蓋部前板３３の内面に接触するように、箱本体３１２の上部は、蓋部１３に内挿される。よって、包装用箱３１０は、図２３に示すように完成体となる。
【０１１０】
ここで、図２１に示す蓋係止爪３７４は、箱本体３１２の外方に突出されており、完成体における連結フラップ３４上端と天板部３１との間隙に挿入される。従って、蓋係止爪３７４が連結フラップ３４の上端に接触するため、箱本体３１２の上部が蓋部１３によって閉塞され続けて、包装用箱３１０の形状が保持される。
【０１１１】
以上の如く、第３実施形態の包装用箱３１０は、物品を収容する包装用箱であって、底板３２１と、前記底板３２１の後に後板折目線３４２を介して連設される後板３２３と、前記底板３２１の左右に左右側板折目線３４４を介して連設される左右側板３２５と、前記左右側板３２５の後端に連設される折畳片３２４ａと、前記左右側板折目線３４４の後端部近傍から斜め方向に形成される第１折目線３４７を介して前記折畳片３２４ａに連設される固着片３２４ｂと、を有する補助側板３２４と、を備え、前記固着片３２４ｂと前記折畳片３２４ａとが重なるように前記第１折目線３４７で折畳み、前記固着片３２４ｂと前記後板３２３とを重ね合わせ、かつ、前記底板３２１と前記左右側板３２５とを重ね合わせるように折畳み、前記固着片３２４ｂと前記後板３２３とを固着して半完成状態とし、
前記半完成状態から、前記固着片３２４ｂと前記折畳片３２４ａとを展開することで、前記補助側板３２４、前記左右側板３２５及び前記後板３２３を前記底板３２１に対して立設させて組み立て状態とするものである。
このように構成することにより、半完成状態から固着片３２４ｂと折畳片３２４ａとを展開することで、補助側板３２４、左右側板３２５、及び後板３２３を底板３２１に対して立設させることができるため、組立作業を迅速に行うことができる。また、各側板３２３・３２４・３２５が底板３２１に対して立設された状態では、左右側板３２５が外側に、補助側板３２４が内側に配置されるため、第１折目線３４７が左右側板３２５面に現れず、包装用箱３１０の外観体裁を良好とすることができる。
【０１１２】
第３実施形態の包装用箱３１０は、前記底板３２１に対して前記後板３２３と前記補助側板３２４と前記左右側板３２５とを立設させた状態を保持する保持手段を設け、前記保持手段は、前記底板３２１に対して前記後板３２３と前記補助側板３２４と前記左右側板３２５とを立設させた状態で、前記第１折目線３４７よりも固着片３２４ｂ側に突出する保持片３７１を前記折畳片３２４ａに設けた構成である。
このように構成することにより、保持片３７１が左右側板３２５と接触することで、保持片３７１が接触する左右側板３２５または後板３２３の外方への広がりを規制するため、余分な組立作業を行うこと無く、左右側板３２５または後板３２３の立設を保持することができ、組立作業を迅速に行うことができる。各側板３２３・３２４・３２５の立設を保持する部材が包装用箱３１０の外側に配置されていないため、包装用箱３１０の外観体裁を良好とすることができる。
【０１１３】
次に、本考案の第４実施形態にかかる包装用箱４１０について、図２４から図２６を用いて説明する。
【０１１４】
第４実施形態に係る包装用箱４１０は、第３実施形態の固着片３２４ｂの固着位置を変えることによって、半完成状態における第３実施形態の補助側板３２４の固着片３２４ｂおよび固着片３２４ｂを同一平面状に構成したものである。そのため、第３実施形態および第１実施形態と共通する部分に関しては、以下、同じ符号を付し説明は省略する。
【０１１５】
第４実施形態の箱展開形成体４１１は、第３実施形態の箱展開形成体３１１（図１８参照）の後板固定部３６３の位置のみが異なるため全体構成の説明を省略する。
【０１１６】
次に、包装用箱４１０を半完成状態（図２５参照）まで組み立てる場合について説明する。但し、蓋部１３および前板２２の周辺については、第１実施形態のそれらと同じであるため説明を省略し、箱本体４１２の左右の補助側板３２４および左右側板３２５を中心に説明する。
【０１１７】
図２４に示す状態から、蓋部１３および前板２２の周辺を組み立てた後、左右側板折目線３４４を谷折することで、図２５の（Ａ）に示すように、左右側板３２５は底板３２１に重なるように折畳まれる。従って、左右側板３２５の後部となる縁部（図示上縁部）に連設された補助側板３２４は、後板３２３の上面に重なるように配置される。後板３２３と補助側板３２４の接触する部分である固着片３２４ｂには、後側板固定部４６３が保持片３７１に対向する二辺に沿うように形成される。後板３２３および固着片３２４ｂの内面に配置される左右側板固定部４６３に接着剤等の固着手段を付することで、後板３２３と補助側板３２４の固着片３２４ｂとは貼着固定される。
【０１１８】
従って、図２５の（Ａ）に示すように、包装用箱４１０は略半分に折畳まれた略長方形状の第１の半完成状態となる。この第１の半完成状態から、さらに後板折目線３４２および補助側板折目線３４３を谷折にすることで、後板３２３および補助側板３２４は、左右側板３２５に重なるように折畳まれる（図２５の（Ｂ）参照）。
【０１１９】
従って、包装用箱４１０は、図２４に示す箱展開形成体４１１の略四分の一に折畳まれた図２５の（Ｂ）に示す長方形の第２の半完成状態となる。この第２の半完成状態では、包装用箱４１０は、コンパクトであるため、保管や運搬が容易となる。特に、半完成状態における第４実施形態の包装用箱４１０は、第３実施形態の包装用箱３１０（図２０参照）に比べて、折畳片３２４ａと固着片３２４ｂが重なり合わず同一平面状に配置されるため、さらに厚さが薄くなる。
【０１２０】
次に、折畳まれた半完成状態の包装用箱４１０を完成体まで組み立てる手順について説明する。但し、第１実施形態および第３実施形態と同じ部位の同じ手順は説明を省略する。
【０１２１】
先ず、同一平面上にある保持片３７１を押圧しながら、第１折目線３４７を谷折して略三角形状となるように補助側板３２４の固着片３２４ｂと折畳片３２４ａを折畳む。具体的には、図２５の（Ａ）の折畳片３２４ａを上方に向けた状態から、保持片３７１を後板３２３側へと押圧しながら、固着片３２４ｂと折畳片３２４ａとが重なるように第１折目線３４７を谷折する。保持片３７１が、その内面を後板３２３に接触させた状態から、その内面を後板３２３側に押圧しつつ反転させて（図２５の（Ａ）の一部白抜き矢印参照）、その外面を後板３２３に接触させた状態に移行する。よって、固着片３２４ｂと折畳片３２４ａは略同一平面の状態から図２６に示すように、それぞれの外面を接触させた状態で折畳まれる。
【０１２２】
このような包装用箱４１０の組み立てた状態において、保持片３７１が第１折目線３４７よりも底板３２１側に突出するように形成されていることで、保持片３７１の外面が後板３２３の内面と接触して、固着片３２４ｂと折畳片３２４ａが略同一平面へと戻ることを阻止する。そのため、後板３２３の包装用箱４１０外方への広がりを規制することができ、後板３２３の立設を保持することができる。
【０１２３】
尚、第３実施形態と同様に第４実施形態の保持片３７１は、第１折目線３４７を分断するように、折畳片３２４ａから延設されている。しかしながら、保持片３７１は、第１折目線３４７よりも突出するように折畳片３２４ａから延設されていれば、第１折目線３４７の端部近傍に形成しても、複数形成しても良い。また、保持片３７１は、包装用箱４１０を組み立てる際に、後板３２３に対して、保持片３７１がその内面を接触させた状態から、無理なく反転して、保持片３７１の外面を接触させることが可能であれば、形状及び大きさは限定しない。
【０１２４】
また、前記状態の包装用箱４１０において、補助側板３２４は後板３２３の内側に配置されるため、補助側板３２４の第１折目線３４７が後板３２３に隠されて外部に露出しない。そのため、包装用箱４１０の外観体裁を良好とすることができる。
【０１２５】
尚、第４実施形態では、後板３２３、補助側板３２４、及び左右側板３２５を底板３２１に対して立設させるために、保持手段として、保持片３７１を設けている。しかしながら、保持手段は、他の保持手段と組み合わされて配置されても良い。
【０１２６】
底板３２１に対して三側板（後板３２３、補助側板３２４、及び左右側板３２５）が起立した状態において、包装用箱４１０の前部及び上部は、開放された状態にある。従って、菓子等の物品を収納する際には、この包装用箱４１０の前部及び上部の開放部から、物品を包装用箱４１０内に容易に収納することができる。
【０１２７】
前板２２周辺および蓋部１３の組立については、第１実施形態と同じであるため、説明は省略する。
但し、第４実施形態の包装用箱４１０は、図２３に示す包装用箱３１０と同様の完成体となる。
【０１２８】
以上の如く、第４実施形態の包装用箱４１０は、物品を収容する包装用箱であって、底板３２１と、前記底板３２１の後に後板折目線３４２を介して連設される後板３２３と、前記底板３２１の左右に左右側板折目線３４４を介して連設される左右側板３２５と、前記左右側板３２５の後端に連設される折畳片３２４ａと、前記左右側板折目線３４４の後端部近傍から斜め方向に形成される第１折目線３４７を介して前記折畳片３２４ａに連設される固着片３２４ｂと、を有する補助側板３２４と、を備え、
前記補助側板３２４と前記後板３２３とを重ね合わせ、かつ、前記底板３２１と前記左右側板３２５とを重ね合わせるように折畳み、前記補助側板３２４の前記固着片３２４ｂと前記後板３２３とを固着して半完成状態とし、前記半完成状態から、前記固着片３２４ｂと前記折畳片３２４ａとが重なるように前記第１折目線３４７で折畳むことで、前記補助側板３２４、前記左右側板３２５及び前記後板３２３を前記底板３２１に対して立設させて組み立て状態とするものである。
このように構成することにより、半完成状態から固着片３２４ｂと折畳片３２４ａとを折畳むことで、補助側板３２４、左右側板３２５、及び後板３２３を底板３２１に対して立設させることができるため、組立作業を迅速に行うことができる。また、各側板３２３・３２４・３２５が底板３２１に対して立設された状態では、左右側板３２５が外側に、補助側板３２４が内側に配置されるため、第１折目線３４７が左右側板３２５面に現れず、包装用箱４１０の外観体裁を良好とすることができる。加えて、半完成状態における包装用箱４１０の厚さを薄くすることができる。
【０１２９】
第４実施形態の包装用箱４１０は、前記底板３２１に対して前記後板３２３と前記補助側板３２４と前記左右側板３２５とを立設させた状態を保持する保持手段を設け、前記保持手段は、前記底板３２１に対して前記後板３２３と前記補助側板３２４と前記左右側板３２５とを立設させた状態で、前記第１折目線３４７よりも固着片３２４ｂ側に突出する保持片３７１を前記折畳片３２４ａに設けた構成である。
このように構成することにより、保持片３７１が後板３２３と接触することで、保持片３７１と固着片３２４ｂの広がりを規制するため、余分な組立作業を行うこと無く、後板３２３の立設を保持することができ、組立作業を迅速に行うことができる。後板３２３の立設を保持する部材が包装用箱４１０の外側に配置されていないため、包装用箱４１０の外観体裁を良好とすることができる。
【０１３０】
次に、第１実施形態を基とする手提げの可能な第５実施形態にかかる包装用箱５１０について図２７から図３０を用いて説明する。
【０１３１】
手提部１８は、包装用箱５１０の上部の開口部を閉塞するとともに、包装用箱５１０の持ち運びを容易にするための部分である。手提部１８は、天部８０、および立上板８４によって構成される。
第１実施形態の後板２３に連設される蓋部１３、前板２２に連設される挟持フラップ２６、および左右側板２５に連設される上部フラップ２９が、手提部１８に取り替えられた構成である。
【０１３２】
図２７に示すように、天部８０は、天板８１、天板片８１ａ、持手折目線８２、持手板８３（持手片８３ａ、係止突起８３ｂ）によって構成される。
詳しくは、後板２３の上端に、天板連結折目線５５３を介して、天板８１が連設される。天板８１の上端には、持手折目線８２を介して持手板８３が連設される。持手折目線８２は、左右途中で分断されており、分断された箇所には、天板８１から天板片８１ａが延設される。天板片８１ａは、前記持手折目線８２よりも前記持手板８３側に突出するように切り込んだ切り目により形成される。従って、持手折目線８２及び天板片８１ａを介して、持手板８３は、その上側を持手片８３ａとなるように形成される。
さらに持手片８３ａの左右両側には、略フック状の係止突起８３ｂ・８３ｂが形成される。係止突起８３ｂは、後述する立上板８４のスリット８４ａと係合する。
【０１３３】
後板２３と同様に前板２２の上部となる縁部（図示下端部）には、天板連結折目線５５３を介して、天板８１が連設され、前述している手提部１８の構成部材が前後一対（図示上下一対）となって連設される。
【０１３４】
一方、左右側板２５の上部となる縁部には、立上板折目線５４９を介して立上板８４が連設される。立上板８４の前後中央（図示左右中央）には、その略中央から第２折目線４８の略中央まで、スリット８４ａが開口されている。
【０１３５】
包装用箱５１０の半完成状態までの組み立てる場合は、第１実施形態と同じ手順で組み立て、図２８に示す半完成状態とする。
【０１３６】
次に、折畳まれた半完成状態の包装用箱５１０を完成体まで組み立てる手順について説明する。
先ず、第１実施形態における底板２１に対して三側板（後板２３、補助側板２４、及び左右側板２５）が起立した状態にまで組み立てる。
その後、図２９に示すように、包装用箱５１０の前部及び上部は、開放された状態にある。従って、菓子等の物品を収納する際には、この包装用箱５１０の前部及び上部の開放部から、物品を包装用箱５１０内に容易に収納することができる。
【０１３７】
物品を収納した後、前板折目線４１を谷折することで、前板２２は底板２１に対して起立される。さらに、前板２２および後板２３に連設される手提部１８において、先ず、天板連結折目線５５３を谷折して、さらに持手折目線８２を山折りして、前後の持手片８３ａの内面を接触するように重ね合せる。
そのとき、前板２２側または後板２３側のどちらか一方の天板片８１ａの内面は、他方の天板８１の外面と接触するように重ね合わされる。他方の天板片８１ａの外面は、一方の天板８１の内面と接触するように重ね合わされる（図３０参照）。
よって、持手片８３ａの略下中央に開口部８３ｃが形成される。
【０１３８】
続いて、立上板折目線５４９を谷折することで、立上板８４は包装用箱５１０の内方に折り返されるとともに、持手板８３の係止突起８３ｂがスリット８４ａに差し込まれる。
よって、係止突起８３ｂは、立上板８４に挟持され、前板２２は底板２１に対して安定した形で起立される。手提部１８に連設された後板２３および左右側板２５も底板２１に対して安定した形で起立される。
【０１３９】
箱本体５１２の前部および上部の開口部は、手提部１８によって閉塞され、包装用箱５１０は、図３０に示すように完成体となる。
【０１４０】
手提部１８は、第２実施形態から第４実施形態に係る包装用箱２１０・３１０・４１０にも第１実施形態の包装用箱１０と同様に適用することができる。
【０１４１】
第５実施形態の包装用箱５１０は、前記底板２１の前に連設される前板２２と、前記底板２１に対して前記前板２２と前記後板２３と前記補助側板２４と前記左右側板２５とを立設させた状態を保持するとともに、包装用箱５１０の上部の開口部を閉塞させる手提部１８を設け、前記手提部１８は、前記前板２２と前記後板２３とにそれぞれ連設される天部８０と、前記左右側板２５にそれぞれ連設される立上板８４と、を備え、天部８０の一部が重なるように重ね合わせ、前記天部８０の両端が前記立上板８４によって係止させる構成である。
このように構成することにより、手提部１８を設けることによって、さらなる包装用箱５１０の立設を保持し、各側板２２・２３・２４・２５の外方への広がりを規制することができるため、包装用箱５１０の外観体裁を良好とすることができる。また、手提部１８によって、包装用箱５１０の持ち運びが容易に行うことができ、手提部１８の組立工程が、包装用箱５１０の上部の開口部を閉塞する工程を兼ねているため、包装用箱５１０の組立作業を迅速に行うことができる。
【符号の説明】
【０１４２】
１０      包装用箱
１１      箱展開形成体
１２      箱本体
１３      蓋部
１８      手提部
２１      底板
２２      前板
２３      後板
２４      補助側板
２４ａ    折畳片
２４ｂ    固着片
２５      左右側板
２６      挟持フラップ
２７      側部フラップ
２８      フラップ
２９      上部フラップ
３１      天板部
３２      蓋部側板
３２ａ    固着片
３２ｂ    折畳片
３３      蓋部前板
３４      連結フラップ
３５      手がかり
４１      前板折目線
４２      後板折目線
４３      補助側板折目線
４４      左右側板折目線
４５      挟持フラップ折目線
４６      側部フラップ折目線
４７      第１折目線
４８      第２折目線
４９      上部フラップ折目線
５１      蓋部連結折目線
５２      蓋部側板折目線
５３      蓋部前板折目線
５４      蓋部側板折畳用折目線
５５      連結フラップ折目線
６１      連結フラップ固定部
６２      挟持フラップ固定部
６３      左右側板固定部
７１      保持片
７２      係止孔
７３      係止片
７４      蓋係止爪
８０      天部
８１      天板
８１ａ    天板片
８２      持手折目線
８３      持手板
８３ａ    持手片
８３ｂ    係止突起
８３ｃ    開口部
８４      立上板
８４ａ    スリット
２１０    包装用箱
２１１    箱展開形成体
２１２    箱本体
２６３    左右側板固定部
３１０    包装用箱
３１１    箱展開形成体
３１２    箱本体
３１３    蓋部
３２１    底板
３２３    後板
３２４    補助側板
３２４ａ  折畳片
３２４ｂ  固着片
３２５    左右側板
３２８    フラップ
３２９    上部フラップ
３４１    前板折目線
３４２    後板折目線
３４３    補助側板折目線
３４４    左右側板折目線
３４７    第１折目線
３４８    第２折目線
３４９    上部フラップ折目線
３５１    蓋部連結折目線
３６３    後板固定部
３７１    保持片
３７４    蓋係止爪
４１０    包装用箱
４１１    箱展開形成体
４１２    箱本体
４６３    後側板固定部
５１０    包装用箱
５１１    箱展開形成体
５１２    箱本体
５４９    立上板折目線
５５３    天板連結折目線
【図１】
0003158123.tif 000003
【図２】
0003158123.tif 000004
【図３】
0003158123.tif 000005
【図４】
0003158123.tif 000006
【図５】
0003158123.tif 000007
【図６】
0003158123.tif 000008
【図７】
0003158123.tif 000009
【図８】
0003158123.tif 000010
【図９】
0003158123.tif 000011
【図１０】
0003158123.tif 000012
【図１１】
0003158123.tif 000013
【図１２】
0003158123.tif 000014
【図１３】
0003158123.tif 000015
【図１４】
0003158123.tif 000016
【図１５】
0003158123.tif 000017
【図１６】
0003158123.tif 000018
【図１７】
0003158123.tif 000019
【図１８】
0003158123.tif 000020
【図１９】
0003158123.tif 000021
【図２０】
0003158123.tif 000022
【図２１】
0003158123.tif 000023
【図２２】
0003158123.tif 000024
【図２３】
0003158123.tif 000025
【図２４】
0003158123.tif 000026
【図２５】
0003158123.tif 000027
【図２６】
0003158123.tif 000028
【図２７】
0003158123.tif 000029
【図２８】
0003158123.tif 000030
【図２９】
0003158123.tif 000031
【図３０】
0003158123.tif 000032